【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】
容器から投与されたか、又は容器内に残っている計量された投与の回数を表示する表示装置であって、該表示装置が：
該容器に取り付けられるようになされたベース部材と；
該ベース部材に移動可能に連結され、軸方向経路に沿って該ベース部材に対して移動することができるキャップ部材と；
該キャップ部材に回転自在に取り付けられた表示部材と；
該キャップ部材乃至該表示部材のいずれかと選択的に係合する機構とを有し、
該機構は、該キャップ部材が該ベース部材に対して所定回数の軸方向運動を行うと、該表示部材を一刻みの量回動させるものであり、
該軸方向運動の所定回数は、１より大であることを特徴とする表示装置。
【請求項２】
該キャップ部材は、係合部材を有し、該係合部材は、該表示部材と該キャップ部材の相対的な軸方向運動を防止するよう該表示部材に係合することを特徴とする請求項１に記載の表示装置。
【請求項３】
該機構は、該キャップ部材に回転自在に取り付けられていて、複数の歯を有する爪車と；該キャップ部材に回転自在に取り付けられていて、少なくとも１つの歯を有する駆動部材と；を有し、該爪車の該複数の歯の個数は、該駆動部材の該少なくとも１つの歯の個数よりも多く、該機構は、該ベース部材から延びる爪部材を更に有し、該爪部材は、該キャップ部材が該ベース部材に対して軸方向運動を行うたびに該爪車に選択的に係合し、該所定回数の軸方向運動が行われると、該爪車は該駆動部材に係合し、該駆動部材は該表示部材に選択的に係合して、それにより該表示部材を該一刻みの量回動させることを特徴とする請求項１に記載の表示装置。
【請求項４】
軸方向運動の該所定回数は、該爪車の該複数の歯の該個数を該駆動部材の該少なくとも１つの歯の個数で割ることにより決定されることを特徴とする請求項３に記載の指示装置。
【請求項５】
該キャップ部材は、視認用窓を更に有し、該指示部材は、該視認用窓を通して見える指標を有していることを特徴とする請求項１に記載の指示装置。
【請求項６】
該指示部材と該キャップ部材のうちの一方は、複数の凹みを有し、該キャップ部材と該指示部材のうちの他方は、少なくとも１つの割出し部材を有し、該割出し部材は、該凹みのうち少なくとも１つに係合していることを特徴とする請求項１に記載の指示装置。
【請求項７】
容器から投与されたか、又は容器内に残っている計量された投与の回数を表示する表示装置であって：
容器に取り付けられるようになされたベース部材と；
該ベース部材に移動可能に連結され、軸方向経路に沿って該ベース部材に対して動くことができるキャップ部材と；
該キャップ部材内に設けられた表示部材と；
該表示部材と該キャップ部材のうちの一方に設けられ、該表示部材と該キャップ部材のうちの他方に係合して該キャップ部材と該表示部材との相対的な軸方向運動を防止する係合部材であって、該表示部材は、該軸方向経路に実質的に平行であって、該ベース部材に対する該キャップ部材の運動により定まる軸線の回りに回動自在に該キャップ部材に取り付けられている係合部材を有することを特徴とする表示装置。
【請求項８】
該キャップ部材と該表示部材との間に選択的に係合する機構を更に有し、該機構は、該キャップ部材が該ベース部材に対して所定回数の軸方向運動を行うと、該表示部材を一刻みの量回動させることを特徴とする請求項７に記載の表示装置。
【請求項９】
該機構は、該キャップ部材に回転自在に取り付けられ、複数の歯を有する爪車と、該キャップ部材に回転自在に取り付けられ、少なくとも１つの歯を有する駆動部材と、該ベース部材から延びる爪部材とを有し、該爪部材は、該キャップ部材が該ベース部材に対して軸方向運動を行うたびに該爪車に選択的に係合し、該所定回数の軸方向運動が行われると、該爪車は該駆動部材に回転自在に係合すると共に該駆動部材は該表示部材に選択的に係合し、それにより該表示部材を該一刻みの量回動させることを特徴とする請求項８に記載の表示装置。
【請求項１０】
容器から投与されたか、又は容器内に残っている計量された投与の回数を表示する表示装置であって、該表示装置が：
該容器に取り付けられるようになされたベース部材と；
該ベース部材に移動可能に連結され、軸方向経路に沿って該ベース部材に対して移動することができるキャップ部材と；
該ベース部材と該キャップ部材との間に配置された表示部材と；
該表示部材と選択的に係合する駆動機構とを有し、
該駆動機構は、該キャップ部材が該ベース部材に対して軸方向運動を所定回数行ったことに応じて、該表示部材を一刻みの量回動させるものであり、軸方向運動の該所定の回数は１より大であることを特徴とする表示装置。
【請求項１１】
該駆動機構は、該キャップ部材に回転可能に取り付けられていることを特徴とする請求項１０に記載の表示装置。
【請求項１２】
該表示装置は、更に、該駆動機構及び該ベース部材から延びる爪部材に係合する爪車を有し、該爪部材は、該キャップ部材が該ベース部材に対して軸方向運動を行う毎に該爪車と選択的に係合することを特徴とする請求項１１に記載の表示装置。
【請求項１３】
該表示部材が複数の歯を有し、該駆動機構は該軸方向運動が該所定の回数行われると、該歯の少なくとも１本と選択的に係合することを特徴とする請求項１０に記載の表示装置。
【請求項１４】
容器から投与されたか、又は容器内に残っている薬物の投与の回数を表示するのに適した表示装置であって、該表示装置は：
複数の位置に一刻みずつ移動可能な第１の表示部材と；
該第１の表示部材の所定の移動回数に応じて動くことが可能な第２の表示部材とを有し、
該第１と第２の表示部材のいずれか一方は数値表示を有し、該第１と第２の表示部材の他方は、少なくとも第１の色彩と、該第１の色彩とは異なる第２の色彩とから成る色彩表示を有し、該第１と第２の表示部材の他方の方は、少なくとも第１と第２の表示位置の間で移動可能であり、該第１の色彩は該第１及び第２の表示部材の他方の方が該第１の表示位置にあるときに利用者の目に見え、該第２の色彩は該第１及び第２の表示部材の他方の方が該第２の表示位置にあるときに利用者の目に見え、該第１及び第２の色彩のどちらも、該第１及び第２の表示部材がそれぞれ第２及び第１の表示位置にあるときには、利用者の目に見えないようになされたことを特徴とする表示装置。
【請求項１５】
該第１の表示部材は第１の軸の回りに回動可能であり、第２の表示部材は第２の軸の周りに回動可能であって、該第１の軸と該第２の軸は実質的に平行であることを特徴とする請求項１４に記載の表示装置。
【請求項１６】
該第１の軸と該第２の軸とが実質的に同軸であることを特徴とする請求項１５に記載の表示装置。
【請求項１７】
該第１の軸と該第２の軸とが間隙を介していることを特徴とする請求項１５に記載の表示装置。
【請求項１８】
該第１の表示部材は数値表示を有し、該第２の表示部材は色彩表示を有することを特徴とする請求項１４に記載の表示装置。
【請求項１９】
該数値及び色彩表示の中の一方は投与表示を構成し、該数値及び色彩表示の中の他方は使用量表示を構成することを特徴とする請求項１４に記載の表示装置。
【請求項２０】
更に、ハウジング部材を有し、該第１及び第２の表示部材が該ハウジング部材に回転可能に取り付けられていることを特徴とする請求項１４に記載の表示装置。
【請求項２１】
更に、該容器と係合するようになされたアクチュエータを有し、該アクチュエータは該ハウジング部材に対して移動可能であり、該第１の表示部材を該複数の位置の間で動かすように該第１の表示部材と操作可能に連結されたことを特徴とする請求項２０に記載の表示装置。
【請求項２２】
該アクチュエータはベース部材を有し、該ハウジング部材は該ベース部材に対して移動可能に接合されたキャップ部材を有していることを特徴とする請求項２１に記載の表示装置。
【請求項２３】
該ハウジング部材は、該容器の底部に固定されるようになされたことを特徴とする請求項２０に記載の表示装置。